(57)【要約】【課題】  ＩＣカード９０の表面を傷つけることなく、ＩＣカード９０の飛び出しを防止すること。【解決手段】  ハウジング１０、スライダ３０、コイルスプリング４５、カバー７０及びロック機構９９を具備したプッシュ・イン、プッシュ・アウト型のＩＣ用コネクタにおいて、カバー７０に、ＩＣカード９０のロック解除時にＩＣカード９０に形成された係止用凹部９３と 係止する板ばね片８５を形成し、ロック解除時のＩＣカード９０の飛び出しを抑制する。【選択図】  図１
2005294203.tif 000002
【特許請求の範囲】
【請求項１】
カード挿入部（２５）を形成するハウジング（１０）及びカバー（７０）と、カード挿入部（２５）に摺動可能に設けられたスライダ（３０）と、スライダ（３０）をカード排出側へ付勢するばね（４５）と、カード挿入部（２５）に挿入されたＩＣカード（９０）をばね（４５）の復元力に抗して所定位置にロックするとともに、このロック状態でＩＣカード（９０）をもう一度挿入方向へ押すと前記ロック状態を解除するロック機構（９９）とを具備したＩＣカード用コネクタであって、ＩＣカード（９０）のロック解除時にＩＣカード（９０）に形成された第１係合部と係止する係止機構を設けたことを特徴とするＩＣカード用コネクタ。
【請求項２】
ＩＣカード（９０）に形成された第１係合部が、凹部（９３）又は切欠きであり、 係止機構が、カバー（７０）の板面から内側へ向けて突出する第１凸部であることを特徴とする請求項１記載のＩＣカード用コネクタ。
【請求項３】
ＩＣカード（９０）に形成された第１係合部が、ロック用と兼用の凹部（９１）又は切欠きであり、 係止機構が、カバー（７０）の板面から内側へ向けて突出する第１凸部であることを特徴とする請求項１記載のＩＣカード用コネクタ。
【請求項４】
カバー（７０）の板面であって第１凸部が形成された板面と対向する板面に、内側へ向けて突出するカード押え（８０）を形成したことを特徴とする請求項２又は３記載のＩＣカード用コネクタ。
【請求項５】
カバー（７０）に形成された第１凸部とカード押え（８０）は、カバー（７０）の対向する板面の対峙する位置に形成されていることを特徴とする請求項４記載のＩＣカード用コネクタ。
【請求項６】
カバー（７０）の板面であって第１凸部が形成された板面と対向する板面に、ＩＣカード（９０）のロック解除時にＩＣカード（９０）に形成された第２係合部と係止する係止部を形成したことを特徴とする請求項２又は３記載のＩＣカード用コネクタ。
【請求項７】
カバー（７０）に形成された第１凸部と係止部は、カバー（７０）の対向する板面の対峙する位置に形成されていることを特徴とする請求項６記載のＩＣカード用コネクタ。    
【請求項８】
ＩＣカード（９０）に形成された第２係合部が、凹部又は切欠きであり、係止部が、カバー（７０）の板面から内側へ向けて突出する第２凸部であることを特徴とする請求項６又は７記載のＩＣカード用コネクタ。
【請求項９】
ＩＣカード（９０）に形成された貫通孔の一方の開口部を第１係合部とし、前記貫通孔の他方の開口部を第２係合部とし、係止機構がカバー（７０）の前記第１係合部に対面する板面から内側へ向けて突出する第１凸部であり、係止部がカバー（７０）の前記第２係合部に対面する板面から内側へ向けて突出する第２凸部であることを特徴とする請求項６又は７記載のＩＣカード用コネクタ。
【発明の詳細な説明】
【技術分野】
【０００１】
本発明は、ＩＣカードをロックする機構と排出する機構を有するプッシュ・イン、プッシュ・アウト型のＩＣカード用コネクタであって、プッシュ・アウト時（排出時）にＩＣカードが飛び出すのを防止するようにしたＩＣカード用コネクタに関するものである。
【背景技術】
【０００２】
従来のこの種のＩＣカード用コネクタには、例えば図１０、図１１に示すようなものがある。  このＩＣカード用コネクタは、複数のコンタクト１０１が並列に配設されたハウジング１０３と、このハウジング１０３に被嵌されてハウジング１０３との間にカード挿入部１０７を形成するカバー１０５と、ＩＣカード１０９の挿抜方向に摺動可能なスライダ１１１と、このスライダ１１１に設けられたロック用ばね１１３と、ハウジング１０３とスライダ１１１の間に圧縮状態で挿入されて復元力でＩＣカード１０９を排出方向へ付勢するコイルスプリング１１５と、ロック機構１１７とで構成されている。
【０００３】
ロック用ばね１１３は片持ち梁状に形成されて、可動側先端部１１９がＩＣカード１０９の凹部１２１に係止可能に形成されている。
ロック機構１１７は、ＩＣカード１０９をカード挿入部１０７へ挿入した時に、ＩＣカード１０９で押圧されて奥（図１０では左）へ押し込まれたスライダ１１１を、コイルスプリング１１５の復元力に抗して所定位置にロック（保持）するとともに、このロック状態においてＩＣカード１０９を更に奥へもう一度押す（再プッシュ）と、ロック状態を解除する、プッシュ・イン、プッシュ・アウト動作を行わせるものである。
そして、図１１に示すように、カバー１０５の表面に内側へ向けて切り起したカード押え１２３、１２３を形成し、このカード押え１２３、１２３のばね作用でＩＣカード１０９を押えて、プッシュ・アウト時にＩＣカード１０９が飛び出すのを防止していた（特許文献１参照）。
【特許文献１】特開２００３ー１７３８４４
【発明の開示】
【発明が解決しようとする課題】
【０００４】
しかしながら、図１０、図１１に示した従来例では、カード押え１２３、１２３のばね力を強くしてＩＣカード１０９の飛び出しを十分に抑制しようとすると、図１１に示すようＩＣカード１０９の表面に擦過状の傷１２５、１２５を付けてしまうという問題点があった。
また、カード押え１２３、１２３のばね力を弱くして傷１２５、１２５が付かないようにすると、ＩＣカード１０９の飛び出しの抑制が不十分になるという問題点があった。
【０００５】
本発明は上述の問題を鑑みてなされたもので、ＩＣカードの表面に傷を付けることなく、ＩＣカードの飛び出しを十分に抑制することの可能なＩＣカード用コネクタを提供することを目的とする。
【課題を解決するための手段】
【０００６】
請求項１記載の発明は、カード挿入部を形成するハウジング及びカバーと、前記カード挿入部に摺動可能に設けられたスライダと、前記スライダをカード排出側へ付勢するばねと、前記カード挿入部に挿入されたＩＣカードを前記ばねの復元力に抗して所定位置にロックするとともに、このロック状態で前記ＩＣカードをもう一度挿入方向へ押すと前記ロック状態を解除するロック機構とを具備したＩＣカード用コネクタであって、前記ＩＣカードのロック解除時に前記ＩＣカードに形成された第１係合部と係止する係止機構を設けたことを特徴とする。
【０００７】
請求項２記載の発明は、請求項１記載の発明において、ＩＣカードに形成された第１係合部が、凹部又は切欠きであり、係止機構が、カバーの板面から内側へ向けて突出する第１凸部であることを特徴とする。
【０００８】
請求項３記載の発明は、請求項１記載の発明において、ＩＣカードに形成された第１係合部が、ロック用と兼用の凹部又は切欠きであり、 係止機構が、カバーの板面から内側へ向けて突出する第１凸部であることを特徴とする。
【０００９】
請求項４記載の発明は、請求項２又は３記載の発明において、カバーの板面であって第１凸部が形成された板面と対向する板面に、内側へ向けて突出するカード押えを形成したことを特徴とする。
【００１０】
請求項５記載の発明は、請求項４記載の発明において、カバーに形成された第１凸部とカード押えは、前記カバーの対向する板面の対峙する位置に形成されていることを特徴とする。
【００１１】
請求項６記載の発明は、請求項２又は３記載の発明において、カバーの板面であって第１凸部が形成された板面と対向する板面に、ＩＣカードのロック解除時に前記ＩＣカードに形成された第２係合部と係止する係止部を形成したことを特徴とする。
【００１２】
請求項７記載の発明は、請求項６記載の発明において、カバーに形成された第１凸部と係止部は、前記カバーの対向する板面の対峙する位置に形成されていることを特徴とする。
【００１３】
請求項８記載の発明は、請求項６又は７記載の発明において、ＩＣカードに形成された第２係合部が、凹部又は切欠きであり、係止部が、カバーの板面から内側へ向けて突出する第２凸部であることを特徴とする。
【００１４】
請求項９記載の発明は、請求項６又は７記載の発明において、ＩＣカードに形成された貫通孔の一方の開口部を第１係合部とし、前記貫通孔の他方の開口部を第２係合部とし、係止機構がカバーの前記第１係合部に対面する板面から内側へ向けて突出する第１凸部であり、係止部が前記カバーの前記第２係合部に対面する板面から内側へ向けて突出する第２凸部であることを特徴とする。
【発明の効果】
【００１５】
請求項１記載の発明は、プッシュ・イン、プッシュ・アウト型のＩＣ用コネクタにおいて、ＩＣカードのロック解除時にＩＣカードに形成された第１係合部（例えば凹部又は切欠き）と係止する係止機構を設けたので、ロック解除時にＩＣカードの飛び出しを抑制して、ＩＣカードの破損を防止することができ、ＩＣカードによる怪我を防止することができる。
【００１６】
請求項２記載の発明は、請求項１記載の発明において、ＩＣカードに形成された第１係合部を凹部又は切欠きとし、係止機構をカバーに形成された第１凸部としたので、ＩＣカードの第１係合部の構成と係止機構の構成を簡単にすることができる。
【００１７】
請求項３記載の発明は、請求項１記載の発明において、ＩＣカードに形成された第１係合部をロック用と兼用の凹部又は切欠きとし、係止機構をカバーに形成された第１凸部としたので、構成の簡単なＩＣカード用に利用することができる。  
【００１８】
請求項４記載の発明は、請求項２または３記載の発明において、カバーの第１凸部と対向する板面にカード押えを形成したので、ロック解除時におけるＩＣカードの飛び出しを第１凸部とカード押えで抑制して、ＩＣカードの破損やＩＣカードによる怪我を防止することができる。
【００１９】
請求項５記載の発明は、請求項４記載の発明において、カバーの第１凸部とカード押えをカバーの対向する板面の対峙する位置に形成したので、ＩＣカードの飛び出しを効率的に抑制することができる。
【００２０】
請求項６記載の発明は、請求項２又は３記載の発明において、カバーの第１凸部が形成された板面と対向する板面に、ＩＣカードのロック解除時にＩＣカードに形成された第２係合部と係止する係止部を形成したので、第１凸部と係止部でＩＣカードを挟み込むように係止して、ロック解除時にＩＣカードの飛び出しを効率的に抑制することができる。
【００２１】
請求項７記載の発明は、請求項６記載の発明において、カバーの第１凸部と係止部をカバーの対向する板面の対峙する位置に形成したので、ＩＣカードの飛び出しをより効率的に抑制することができる。
【００２２】
請求項８記載の発明は、請求項６又は７記載の発明において、ＩＣカードに形成された第２係合部が凹部又は切欠きであり、係止部がカバーの板面から内側へ向けて突出する第２凸部としたので、ＩＣカードの第２係合部の構成とカバーの係止部の構成を簡単にすることができる。
【００２３】
請求項９記載の発明は、請求項６又は７記載の発明において、ＩＣカードに形成した貫通孔の一方と他方の開口部を第１係合部と第２係合部とし、係止機構を第１凸部とし、係止部を第２凸部としたので、ＩＣカードの構成と係止機構及び係止部の構成を簡単にすることができる。
【実施例】
【００２４】
図１〜図６は本発明によるＩＣカード用コネクタの一実施例を示すものである。
図１は、一部を切り欠いて断面で表わしたもので、この図において１０、３０絶縁性合成樹脂で成形されたハウジング、スライダ、４０は薄い導電性金属板の打ち抜き、折り曲げ加工で形成された複数のコンタクト、４５はコイルスプリング（ばねの一例）、５０は金属板の打ち抜き、折曲で形成されたロック用ばね、６５は弾性を有する金属線材で折曲形成されたロックピン、７０は薄い金属板の折り曲げで形成されたカバー、９０はＩＣカードであり、カバー７０をハウジング１０に 係止することによって、右側を挿入口とするカード挿入部２５が形成されている。
【００２５】
ハウジング１０は図２に示すように、第１本体１１と第２本体１２を一体に連設して略L字状に形成されている。
第１本体１１には、複数のコンタクト４０の 係止部を圧入する端子挿入孔１３〜１３がＩＣカード９０の挿入方向に沿って形成されるとともに、上面に開口した 係止孔１４、１４が形成されている。
第２本体１２には、収容凹部１５と、ハートカム２０の周りに形成されたガイド溝２１とが形成されている。
収容凹部１５は、第２本体１２の上面の左側から中央にかけて開口してスライダ３０をカード挿入方向に沿って摺動可能に収容し、ガイド溝２１は、第２本体１２の上面の右側で開口し、ロックピン７５の一側端をハートカム２０の周りを左回り方向にのみ周回可能に案内する。
収容凹部１５の左側内壁面には、ばね係合突起１７が内側へ向けて突設されている。
第２本体１２の外壁面には、複数の 係止突起１８が突設されるとともに、 係合部１９が形成されている。  
第２本体１２には、カード挿入部２５側に開口してロック用ばね５０の抜け防止部５５を逃がすための逃げ部２３が形成されている。
【００２６】
スライダ３０は、図３にも示すように、ＩＣカード９０の挿入方向に沿って一体に連設された第１本体３１と第２本体３２で形成されている。
第１本体３１には、そのカード挿入部２５側にカード用係合部３３が形成され、その先端部（図３で左側部）には上下に貫通する 係止孔３４が形成されている。
第２本体３２は、その先端側の壁面にばね係合突起３５が突設され、その上壁面に押え用傾斜面３６が形成され、その後端部（図３で右側部）に上下に貫通する係合孔３７が形成されている。
第２本体３２のばね係合突起３５とハウジング１０のばね係合突起１７との間には、圧縮状態でコイルスプリング４５が設けられている。
【００２７】
ロック用ばね５０は、図４にも示すように、スライダ３０の 係止孔３４に圧入固定される圧入部５１と、この圧入部５１に連設して略U字状に湾曲した第１ばね部５２と、この第１ばね部５２に連設した略棒状の第２ばね部５３と、この第２ばね部５３に連設した係止突起部５４及び抜け防止部５５とで形成され、 係止突起部５４は三角形状に形成され、抜け防止部５５は 係止突起部５４の反対側に突設している。
【００２８】
カバー７０は、図５にも示すように、天板７１と、この天板７１の左側と前後側の辺部から略垂直に下側へ折り曲げて連設された左側板７２a，７２ｂ、前側板７３、後側板７４と、この後側板７４の辺部から内側へ略垂直に折り曲げて連設された底側片７５とで形成されている。
【００２９】
天板７１には、内側へ膨出した補強用のビード７６、７７、７８が突設されるとともに、切り起しで先端部を内側へ食い込ませた押え７９、８０が形成され、更に ハウジング１０の 係止孔１４、１４に係止する 係止爪８１、８１が形成されている。
左側板７２ｂには、ハウジング１０の 係止突起１８と係合する係止孔８２が形成され、前側板７３には、ハウジング１０の 係止突起１８〜１８と係合する係止孔（図示省略）が形成されている。
底側片７５には、 係止機構の一例としての板ばね片８５が形成されている。この板ばね片８５は、底側片７５の板面から内側へ切り起して形成され、ＩＣカード９０の第１係合部の一例としての凹部９３に係合可能となっている。
【００３０】
ロックピン６５は、図６にも示すように、横長の略逆U字状に形成され、一端側がスライダ３０の係合孔３７に係合し、他端側がハウジング１０のガイド溝２１に摺動可能に係合し、中間部がカバー７０の押え７９で内側（図６（ｂ）では下方）へ付勢されることにより、ロック機構９９が構成される。
ガイド溝２１は、図６（ｃ）（ｄ）に示すように傾斜面と段差をもって形成され、ロックピン６５の一端側が係合するスライダ３０の往復動（図１及び図６（ｂ）では左右の往復動）により、ロックピン６５の他端側がガイド溝２１の底面ｆ、ｇ、ｈ、i、ｊ、ｋ、ｌ、ｍのそれぞれで順次停止しながら左回りにのみ周回可能に移動する。押え７９は、ロックピン６５の移動時にロックピン６５がスライダ３０の係合孔３７とハウジング１０のガイド溝２１から抜けでないように、ロックピン６５を上から下へ付勢している。
【００３１】
ＩＣカード９０の側面先端側には、図１に示すように、ロック状態時にロック用ばね５０の係止突部５４を係止する凹部９１が形成されている。
ＩＣカード９０の先端側には、ロック状態時にスライダ３０〜４０の接触部４２〜４２と弾性接触する接触部９２〜９２が形成されている。
ＩＣカード９０の底面には、ロック解除時にカバー７０の板ばね片８５と係止する凹部９３が形成されている。  
【００３２】
つぎに、前記実施例の作用について説明する。
（１）ＩＣカード９０がカード挿入部２５に挿入されていないときには、圧縮状態で挿入されたコイルスプリング４５の復元力によってスライダ３０が右方向へ移動し、ロックピン６５の端部がガイド溝２１のｊ面に係合して停止している。
【００３３】
（２）ＩＣカード９０をカード挿入部２５に挿入し、ＩＣカード９０の先端部がスライダ３０のカード用係合部３３に係合すると、ロック用ばね５０の 係止突部５４がＩＣカード９０の凹部９１に 係止する。
ついで、ＩＣカード９０を更に挿入すると、スライダ３０がＩＣカード９０に連動して左方向へ移動し、ロックピン６５も左方向へに移動する。このロックピン６５の左方向への移動でその端部がガイド溝２１の底面ｍに至り、先端側（左方向側）の内壁面に当接するまで挿入できる。
この当接時にＩＣカード９０への押圧力を解除すると、コイルスプリング４５の復元力でスライダ３０が右方向へ付勢されて右方向へ移動し、このスライダ３０に連動してＩＣカード９０も右方向へ移動し、ロックピン６５の先端部がガイド溝２１のｆ面の後端側（右方向側）の内壁面に当接し、図１（a）（ｂ）に示すロック状態となる。
このロック状態では、ＩＣカード９０の接触部９２〜９２がコンタクト４０〜４０の接触部４２〜４２と弾性接触し、ＩＣカード９０内の電子回路がコンタクト４０〜４０の端子４３〜４３を介して外部回路と電気的に接続される。
【００３４】
（３）図１（a）（ｂ）のロック状態において、ロック解除のためにＩＣカード９０を左方向へ押圧すると（再プッシュすると）、ＩＣカード９０に連動してスライダ３０も左方向へ移動し、これに伴いロックピン６５の端部がガイド溝２１のｆ面からｇ面へ移動する。  ここで、ＩＣカード９０への押圧を解除すると、コイルスプリング４５の復元力でスライダ３０が右方向に移動し、ロックピン６５の端部がガイド溝２１のｇ面からｈ、i面を介してｊ面に至り、ガイド溝２１の右側の内壁面に当接する。
このスライダ３０の右方向への移動時にＩＣカード９０が右方向へ移動し、この移動で 係止突部５４が圧入部５１を支点として右回り方向へ変位し、このときロックが解除される。このとき、抜け防止部５５が逃げ部２３に逃げて 係止突部５４の変位を防げない。
上述のロック解除時において、スライダ３０の右方向への移動に連動してＩＣカード９０がカード挿入部２５から飛び出そうとするが、飛び出す前に、図１（ｃ）に示すように、ＩＣカード９０の凹部９３がカバー７０の板ばね片８５に係止してＩＣカード９０の飛び出しを抑制する。
また、カバー７０の押え８０もＩＣカード９０の表面に付勢してＩＣカード９０の飛び出しを抑制している。
【００３５】
前記実施例では、板ばね片８５とカード押え８０の形成位置の自由度を大きくするために、板ばね片８５とカード押え８０をカバーの対向する板の板面の対峙しない位置に形成した場合について説明したが、本発明はこれに限るものでなく、例えば、図７に示すように、板ばね片８５とカード押え８０をカバーの対向する板の板面の対峙する位置に形成した場合についても利用することができる。この場合、ロック解除時におけるＩＣカード９０の飛び出しをより効率的に抑制することができる。
【００３６】
前記実施例では、カード押え８０がカバー７０の板面から内側へ向けて切り起された板ばね片の場合について説明したが、本発明はこれに限るものでなく、カード押え８０がカバー７０の板面から内側へ向けて突出する第１凸部（例えば膨出部）の場合についても利用することができる。
【００３７】
前記実施例では、カード押え８０でＩＣカード９０を押さえてＩＣカード９０の飛び出しを抑制するようにしたが、本発明はこれに限るものでなく、カード押え８０の代わりに、ＩＣカード９０に形成された第２係合部（例えば凹部又は切欠き）と係止する係止部（例えば板ばね片のような凸部）を形成した場合についても利用することができる。この場合、ＩＣカード９０の飛び出しをより効率的に抑制することができる。
例えば、図８に示すように、ＩＣカード９０の上面側に第２係合部の一例としての凹部９５（又は切欠き）が形成され、カバー７０の天板７１に、ロック解除時に凹部９５に係止する凸部の一例としての板ばね片８７を形成した場合についても利用することができる。
また、図８では、ＩＣカード９０の飛び出しをより効率的に抑制するために、ＩＣカード９０の凹部９３、９５が対峙した位置に形成され、これに対応してカバー７０の板ばね片８５、８７が対峙した位置に形成された場合について説明したが、本発明はこれに限るものでなく、ＩＣカード９０の凹部９３、９５が対峙しない位置に形成され、これに対応してカバー７０の板ばね片８５、８７が対峙しない位置に形成された場合についても利用することができる。
【００３８】
前記実施例では、ロック解除時におけるＩＣカード９０の飛び出しをより確実に抑制するために、カバー７０の板ばね片８５と対向する板（天板７１）の板面にカード押え８０又は係止部（例えば板ばね片８７）を形成した場合について説明したが、本発明はこれに限るものでなく、カード押え８０又は係止部を省略した場合についても利用することができる。
【００３９】
前記実施例では、ＩＣカード９０の係合用の凹部９３がＩＣカード９０の底面側に形成され、カバー７０の板ばね片８５がカバー７０の底側片７５に形成された場合について説明したが、本発明はこれに限るものでなく、ＩＣカード９０の係合用の凹部９３がＩＣカード９０の底面側以外（例えば上面側や側面側）に形成され、これに対応して、カバー７０の板ばね片８５がカバー７０の対応する部分（例えば天板や側板）に形成された場合についても利用することができる。
【００４０】
前記実施例では、板ばね片８５のカバー７０における形成位置の自由度を大きくするために、ＩＣカード９０には、ロック用の凹部９１の他に 係止用の凹部９３が形成された場合について説明したが、本発明は、これに限るものでなく、ロック用の凹部９１を係止用に兼用し、凹部９３を省略した場合についても利用することができる。
【００４１】
前記実施例では、ＩＣカード９０に形成された第１、第２係合部が凹部の場合について説明したが、本発明はこれに限るものでなく、凹部の代りに切欠きや貫通孔を形成した場合について利用することができる。
例えば、図９に示すように、ＩＣカード９０の側面に切欠き９７を形成し、この切欠き９７の上面側にカバー７０の天板７１から切り起こされた板ばね片８７（係止部の一例）を係止し、切欠き９７の下面側に板ばね片８５（係止機構の一例）を係止するように構成した場合についても利用することができる。
また、ＩＣカード９０に上下に貫通する貫通孔を形成し、この貫通孔の上面側に係止部（例えば板ばね片）を係止し、下面側に板ばね片を係止するように構成した場合についても利用することができる。
【００４２】
前記実施例では、係止機構が、カバー７０に形成された板ばね片の場合について説明したが、本発明はこれに限るものでなく、係止機構が、ＩＣカード９０の第１係合部に係止する第１凸部の場合についても 利用することができる。
【００４３】
前記実施例では、係止機構が、カバー７０に形成された第１凸部（例えば板ばね片）の場合について説明したが、本発明はこれに限るものでなく、係止機構がカバー７０と別部材で構成された場合についても利用することができる。
【００４４】
前記実施例では、カバー７０に形成された第２凸部が板ばね片８７の場合について説明したが、本発明はこれに限るものでなく、第２凸部が板ばね以外の凸部（例えば膨出部）の場合についても利用することができる。
【図面の簡単な説明】
【００４５】
【図１】本発明によるＩＣカード用コネクタの一実施例を示すもので、（a）は一部を切り欠いて表した平面図、（ｂ）は（a）のＡ−Ａ線拡大断面図であってロック状態を表す図、（ｃ）は（a）のＡ−Ａ線拡大断面図であって、ロック解除時にＩＣカード９０の飛び出しを抑制した状態を表す図である。
【図２】図１中のハウジング１０を表す図で、（a）は平面図、（ｂ）は（a）の右側面図で、一部を切り欠いて表した図、（ｃ）は（a）の左側面図で、一部を切り欠いて表した図、（ｄ）は（a）のＡ−Ａ線断面図である。
【図３】図１中のスライダ３０を表す図で、（a）は平面図、（ｂ）は正面図、（ｃ）は底面図、（ｄ）は背面図、（e）は（ｃ）のＡ−Ａ線断面図である。
【図４】図１中のロック用ばね５０の左右を反転して表す図で、（a）は背面図、（ｂ）は平面図、（ｃ）は正面図、（ｄ）は（ｂ）の右側面図である。
【図５】図１中のカバー７０を表す図で、（a）は平面図、（ｂ）は（a）の右側面図、（ｃ）は背面図、（ｄ）は（a）の右側面図である。
【図６】図１中のロック機構９９の説明図で、（a）は要部拡大図、（ｂ）は押え７９で付勢されたロックピン６５との関連を表す図、（ｃ）は（a）のＡ−Ａ線断面図、（ｄ）は（a）のＢ−Ｂ線断面図である。
【図７】本発明の第２実施例の要部を示す断面図である。
【図８】本発明の第３実施例の要部を示す断面図である。
【図９】本発明の第４実施例の要部を示す断面図である。
【図１０】従来例を示す平面図で、カバー１０５を省略し一部を切り欠いて表した図である。
【図１１】図１０にカバー１０５を装着した状態を示す平面図である。
【符号の説明】
【００４６】
１０…ハウジング
２１…ガイド溝       
２５…カード挿入部                        
３０…スライダ
４０…コンタクト  
４５…コイルスプリング（ばねの一例）
５０…ロック用ばね
６５…ロックピン               
７０…カバー
８０…カード押え           
８５…板ばね片（第１凸部（係止機構の一例）の一例）
８７…板ばね片（第２凸部（係止部の一例）の一例）
９０…ＩＣカード            
９１…ロック用の凹部  
９３…凹部（第１係合部の一例）           
９５…凹部（第２係合部の一例）
９７…切欠き（第１及び２係合部の一例）
９９…ロック機構
【図１】
2005294203.tif 000003
【図２】
2005294203.tif 000004
【図３】
2005294203.tif 000005
【図４】
2005294203.tif 000006
【図５】
2005294203.tif 000007
【図６】
2005294203.tif 000008
【図７】
2005294203.tif 000009
【図８】
2005294203.tif 000010
【図９】
2005294203.tif 000011
【図１０】
2005294203.tif 000012
【図１１】
2005294203.tif 000013